(57)【要約】  選択対象となるオブジェクトをタッチスクリーンに表示し、当該タッチスクリーンに対する操作に応じてオブジェクトを選択する選択装置（100）において、検出部（130）は、タッチスクリーンに対するタッチ操作を検出する。分割部（150）は、現在表示されているオブジェクトの位置と検出部（130）がタッチ操作を検出した検出位置とに基づいて、タッチスクリーンの検出領域を複数の区画に分割する。そして、確定部（160）は、分割部（150）により分割された何れかの区画を選択する操作を検出すると、選択された区画に対応したオブジェクトの選択を確定する。
2019155563.tif 000002
【特許請求の範囲】
【請求項１】
選択対象となるオブジェクトをタッチスクリーンに表示し、当該タッチスクリーンに対する操作に応じてオブジェクトを選択する選択装置であって、
前記タッチスクリーンに対するタッチ操作を検出する検出部と、
現在表示されている前記オブジェクトの位置と前記検出部がタッチ操作を検出した検出位置とに基づいて、前記タッチスクリーンの検出領域を複数の区画に分割する分割部と、
前記分割部により分割された何れかの区画を選択する操作を検出すると、選択された区画に対応した前記オブジェクトの選択を確定する確定部と、
を備えることを特徴とする選択装置。
【請求項２】
前記検出部は、前記タッチスクリーンに対するタッチ操作の開始、タッチ操作の継続、及び、タッチ操作を開始してから行われる所定操作を検出し、
前記確定部は、前記検出部が前記所定操作を検出することにより、前記分割部により分割された何れかの区画が選択されると、当該選択された区画に対応した前記オブジェクトの選択を確定する、
ことを特徴とする請求項１に記載の選択装置。
【請求項３】
前記検出部がタッチ操作の継続を検出している間、最新の検出位置を含む区画に対応付けられた前記オブジェクトを強調表示する表示制御部を、更に備える、
ことを特徴とする請求項２に記載の選択装置。
【請求項４】
前記分割部は、現在表示されている前記オブジェクトの位置と前記検出部がタッチ操作を検出した検出位置とに基づいて、前記タッチスクリーン全体の検出領域を、前記検出位置を中心とした放射状の境界によって現在表示されている前記オブジェクトが区分けされた前記複数の区画に分割する、
ことを特徴とする請求項１に記載の選択装置。
【請求項５】
前記分割部は、現在表示されている前記オブジェクトの位置と前記検出部がタッチ操作を検出した検出位置とに基づいて、前記タッチスクリーン全体の検出領域を、前記検出位置を中心とした曲線放射状の境界によって現在表示されている前記オブジェクトが区分けされた前記複数の区画に分割する、
ことを特徴とする請求項１に記載の選択装置。
【請求項６】
前記分割部により分割された何れかの区画が選択されることなく、前記検出部がタッチ操作の終了を検出すると、何れのオブジェクトも選択しない選択取消部を更に備える、
ことを特徴とする請求項１に記載の選択装置。
【請求項７】
前記表示制御部は、前記検出部がタッチ操作の継続を検出している間、最新の検出位置を含む区画を示す領域も含めて強調表示する、
ことを特徴とする請求項３に記載の選択装置。
【請求項８】
表示されていない前記オブジェクトについても、間接的に選択可能である、
ことを特徴とする請求項１に記載の選択装置。
【請求項９】
選択対象となるオブジェクトをタッチスクリーンに表示し、当該タッチスクリーンに対する操作に応じてオブジェクトを選択する選択装置における選択方法であって、
前記選択装置が、前記タッチスクリーンに対するタッチ操作を検出する検出ステップと、
前記選択装置が、現在表示されている前記オブジェクトの位置と前記検出ステップにてタッチ操作を検出した検出位置とに基づいて、前記タッチスクリーンの検出領域を複数の区画に分割する分割ステップと、
前記選択装置が、前記分割ステップにて分割された何れかの区画を選択する操作を検出すると、選択された区画に対応した前記オブジェクトの選択を確定する確定ステップと、
を備えることを特徴とする選択方法。
【請求項１０】
選択対象となるオブジェクトをタッチスクリーンに表示し、当該タッチスクリーンに対する操作に応じてオブジェクトを選択するコンピュータを、
前記タッチスクリーンに対するタッチ操作を検出する検出部、
現在表示されている前記オブジェクトの位置と前記検出部がタッチ操作を検出した検出位置とに基づいて、前記タッチスクリーンの検出領域を複数の区画に分割する分割部、
前記分割部により分割された何れかの区画を選択する操作を検出すると、選択された区画に対応した前記オブジェクトの選択を確定する確定部、
として機能させることを特徴とするプログラム。
【請求項１１】
選択対象となるオブジェクトをタッチスクリーンに表示し、当該タッチスクリーンに対する操作に応じてオブジェクトを選択するコンピュータを、
前記タッチスクリーンに対するタッチ操作を検出する検出部、
現在表示されている前記オブジェクトの位置と前記検出部がタッチ操作を検出した検出位置とに基づいて、前記タッチスクリーンの検出領域を複数の区画に分割する分割部、
前記分割部により分割された何れかの区画を選択する操作を検出すると、選択された区画に対応した前記オブジェクトの選択を確定する確定部、
として機能させることを特徴とするプログラムを記録した非一時的なコンピュータ読取可能な情報記録媒体。
【発明の詳細な説明】
【技術分野】
【０００１】
本発明は、選択装置、選択方法、プログラム、ならびに、非一時的なコンピュータ読取可能な情報記録媒体に関する。
【背景技術】
【０００２】
従来より、スマートフォンやタブレット端末等の電子機器には、タッチスクリーンが搭載されており、直感的な操作をユーザが行えるようになっている。例えば、タッチスクリーンが重畳される表示部に、選択対象となる複数のオブジェクト（選択ボタンやアイコン等）が表示されている場合、ユーザは、タッチスクリーンを介して、任意のオブジェクトをタッチ操作することで、そのオブジェクトを容易に選択することができる。【０００３】
このようなスマートフォン等は、片手で操作される場合も多い。例えば、右手でスマートフォンを把持しつつ、右手の親指でタッチ操作する場合などである。
そして、そのような片手で操作するのに好適な入力装置（携帯型情報処理装置）の発明が、例えば、特許文献１に開示されている。
【先行技術文献】
【特許文献】
【０００４】
【特許文献１】特許第５３５７８１１号公報
【発明の概要】
【発明が解決しようとする課題】
【０００５】
上述した特許文献１に記載された入力装置では、ユーザが片手で操作可能ではあるものの、課題に対する回答（Ｙｅｓ又はＮｏ）に限られていた。つまり、特許文献１の発明は、例えば、複数のオブジェクトから任意のオブジェクトを選択するような場面では、利用することが難しかった。【０００６】
そのため、複数のオブジェクトから任意のオブジェクトを選択する場面においても、ユーザが片手で容易に操作できる技術が求められていた。【０００７】
本発明は、上記実状に鑑みてなされたもので、オブジェクトの選択をユーザが容易に行うことのできる選択装置、選択方法、プログラム、ならびに、非一時的なコンピュータ読取可能な情報記録媒体を提供することを目的とする。
【課題を解決するための手段】
【０００８】
本発明の第１の観点に係る選択装置は、
選択対象となるオブジェクトをタッチスクリーンに表示し、当該タッチスクリーンに対する操作に応じてオブジェクトを選択する選択装置であって、
前記タッチスクリーンに対するタッチ操作を検出する検出部と、
現在表示されている前記オブジェクトの位置と前記検出部がタッチ操作を検出した検出位置とに基づいて、前記タッチスクリーンの検出領域を複数の区画に分割する分割部と、
前記分割部により分割された何れかの区画を選択する操作を検出すると、選択された区画に対応した前記オブジェクトの選択を確定する確定部と、
を備えることを特徴とする。【０００９】
また、上記観点に係る選択装置において、
前記検出部は、前記タッチスクリーンに対するタッチ操作の開始、タッチ操作の継続、及び、タッチ操作を開始してから行われる所定操作を検出し、
前記確定部は、前記検出部が前記所定操作を検出することにより、前記分割部により分割された何れかの区画が選択されると、当該選択された区画に対応した前記オブジェクトの選択を確定してもよい。【００１０】
また、上記観点に係る選択装置は、
前記検出部がタッチ操作の継続を検出している間、最新の検出位置を含む区画に対応付けられた前記オブジェクトを強調表示する表示制御部を、更に備えてもよい。【００１１】
また、上記観点に係る選択装置において、
前記分割部は、現在表示されている前記オブジェクトの位置と前記検出部がタッチ操作を検出した検出位置とに基づいて、前記タッチスクリーンの検出領域を、前記検出位置を中心とした放射状の境界によって現在表示されている前記オブジェクトが区分けされた前記複数の区画に分割してもよい。【００１２】
また、上記観点に係る選択装置において、
前記分割部は、現在表示されている前記オブジェクトの位置と前記検出部がタッチ操作を検出した検出位置とに基づいて、前記タッチスクリーンの検出領域を、前記検出位置を中心とした曲線放射状の境界によって現在表示されている前記オブジェクトが区分けされた前記複数の区画に分割してもよい。【００１３】
また、上記観点に係る選択装置は、
前記分割部により分割された何れかの区画が選択されることなく、前記検出部がタッチ操作の終了を検出すると、何れのオブジェクトも選択しない選択取消部を更に備えてもよい。【００１４】
また、上記観点に係る選択装置において、
前記表示制御部は、前記検出部がタッチ操作の継続を検出している間、最新の検出位置を含む区画を示す領域も含めて強調表示してもよい。【００１５】
また、上記観点に係る選択装置において、
表示されていない前記オブジェクトについても、間接的に選択可能としてもよい。【００１６】
本発明の第２の観点に係る選択方法は、
選択対象となるオブジェクトをタッチスクリーンに表示し、当該タッチスクリーンに対する操作に応じてオブジェクトを選択する選択装置における選択方法であって、
前記選択装置が、前記タッチスクリーンに対するタッチ操作を検出する検出ステップと、
前記選択装置が、現在表示されている前記オブジェクトの位置と前記検出ステップにてタッチ操作を検出した検出位置とに基づいて、前記タッチスクリーンの検出領域を複数の区画に分割する分割ステップと、
前記選択装置が、前記分割ステップにて分割された何れかの区画を選択する操作を検出すると、選択された区画に対応した前記オブジェクトの選択を確定する確定ステップと、
を備えることを特徴とする。【００１７】
本発明の第３の観点に係るプログラムは、
選択対象となるオブジェクトをタッチスクリーンに表示し、当該タッチスクリーンに対する操作に応じてオブジェクトを選択するコンピュータを、
前記タッチスクリーンに対するタッチ操作を検出する検出部、
現在表示されている前記オブジェクトの位置と前記検出部がタッチ操作を検出した検出位置とに基づいて、前記タッチスクリーンの検出領域を複数の区画に分割する分割部、
前記分割部により分割された何れかの区画を選択する操作を検出すると、選択された区画に対応した前記オブジェクトの選択を確定する確定部、
として機能させることを特徴とする。【００１８】
上記プログラムは、当該プログラムが実行されるコンピュータとは独立して、コンピュータ通信網を介して配布・販売することができる。【００１９】
本発明の第４の観点に係る非一時的なコンピュータ読取可能な情報記録媒体は、
選択対象となるオブジェクトをタッチスクリーンに表示し、当該タッチスクリーンに対する操作に応じてオブジェクトを選択するコンピュータを、
前記タッチスクリーンに対するタッチ操作を検出する検出部、
現在表示されている前記オブジェクトの位置と前記検出部がタッチ操作を検出した検出位置とに基づいて、前記タッチスクリーンの検出領域を複数の区画に分割する分割部、
前記分割部により分割された何れかの区画を選択する操作を検出すると、選択された区画に対応した前記オブジェクトの選択を確定する確定部、
として機能させることを特徴とするプログラムを記録する。【００２０】
上記情報記録媒体は、非一時的な（non-transitory）記録媒体であり、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００２１】
本発明によれば、オブジェクトの選択をユーザが容易に行うことができる。
【図面の簡単な説明】
【００２２】
【図１】スマートフォンの外観を示す模式図である。
【図２】スマートフォンの概要構成を示す模式図である。
【図３】本実施形態に係る選択装置の概要構成を示すブロック図である。
【図４】商品一覧画面の一例を示す模式図である。
【図５】領域記憶部に記憶される検出領域の一例を示す模式図である。
【図６】タッチスクリーンに対するタッチ操作を説明するための模式図である。
【図７】タッチ操作の検出位置を中心として放射状に区画が分割される様子を説明するための模式図である。
【図８】領域記憶部に記憶される分割後の検出領域の一例を示す模式図である。
【図９】タッチ操作が継続中に選択ボタンが強調表示される様子を説明するための模式図である。
【図１０】本実施形態に係る選択処理を説明するためのフローチャートである。
【図１１】タッチ操作が継続中に選択ボタンだけでなく、区画も強調表示される様子を説明するための模式図である。
【図１２】タッチ操作の検出位置を中心として曲線放射状に区画が分割される様子を説明するための模式図である。
【図１３】表示されていない選択ボタンを選択する様子を説明するための模式図である。
【発明を実施するための形態】
【００２３】
以下に本発明の実施形態を説明する。以下では、理解を容易にするため、スマートフォンに本発明が適用される実施形態を説明するが、この他にも、タブレット端末、ゲーム機器、ＰＤＡ（Personal Digital Assistant）などの情報処理装置においても同様に本発明を適用することができる。
すなわち、以下に記載する実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００２４】
（実施形態１）
図１は、本発明の実施の形態に係る選択装置が実現される典型的なスマートフォンの外観を示す模式図である。図示するように、このスマートフォン１の特徴として、表示デバイス１７の前面にはタッチスクリーン１８が配置されており、ユーザの指等による操作が可能となっている。
【００２５】
図２は、このスマートフォン１の概要構成を示す模式図である。以下、本図を参照して説明する。
【００２６】
スマートフォン１は、一例として、処理制御部１０と、フラッシュメモリ１１と、無線通信部１２と、通信コントローラ１３と、サウンドアンプ１４と、スピーカ１５と、操作ボタン１６と、表示デバイス１７と、タッチスクリーン１８と、測位ユニット１９と、を備える。
【００２７】
処理制御部１０は、ＣＰＵ（Central Processing Unit）コア１０ａと、画像処理部１０ｂと、クロック回路１０ｃと、ＶＲＡＭ（Video Random Access Memory）１０ｄと、ＷＲＡＭ（Work RAM）１０ｅと、ＬＣＤ（Liquid Crystal Display）コントローラ１０ｆと、タッチスクリーンコントローラ１０ｇと、を備える。
【００２８】
ＣＰＵコア１０ａは、スマートフォン１全体の動作を制御し、各構成要素と接続され制御信号やデータをやりとりする。具体的には、フラッシュメモリ１１に記憶されたアプリケーションプログラムやデータを読み出して、所定の処理を実行する。
【００２９】
画像処理部１０ｂは、フラッシュメモリ１１から読み出されたデータや、ＣＰＵコア１０ａにて処理されたデータを加工処理した後、これをＶＲＡＭ  １０ｄに格納する。
【００３０】
クロック回路１０ｃは、種々の時間（時刻）を計時するための回路であり、スマートフォン１に設定された現在時刻や、アプリケーションプログラムに必要となる経過時間等を計時する。
【００３１】
ＶＲＡＭ  １０ｄは、表示用の情報を記憶するメモリであり、画像処理部１０ｂ等により加工された画像情報（地図画像等）を記憶する。
【００３２】
ＷＲＡＭ  １０ｅは、ＣＰＵコア１０ａがプログラムに従った各種処理を実行する際に必要となるワークデータ等を記憶する。
【００３３】
ＬＣＤコントローラ１０ｆは、表示デバイス１７を制御し、所定の表示用画像を表示させる。例えば、ＬＣＤコントローラ１０ｆは、ＶＲＡＭ  １０ｄに記憶された画像情報（商品一覧画面等）を、所定の同期タイミングで表示信号に変換し、表示デバイス１７に出力する。
【００３４】
タッチスクリーンコントローラ１０ｇは、ユーザの指等によって、タッチスクリーン１８が操作されると、その座標（検出位置）を取得する。例えば、表示デバイス１７に選択対象となるオブジェクト（選択ボタン等）を含む商品一覧画面が表示されている状態で、タッチスクリーン１８に対するタッチ操作の開始、タッチ操作の継続、及び、タッチ操作を開始してから行われる所定操作（一例として、強押し等）が行われると、タッチスクリーンコントローラ１０ｇは、このタッチ操作等を検出する。
【００３５】
フラッシュメモリ１１は、例えば、フラッシュＳＳＤ（Solid State Drive）からなり、ＯＳ（Operating System）や各種アプリケーションプログラムとそれらを実行する際に必要な各種データ（商品一覧画面等）を記憶する。
【００３６】
無線通信部１２は、移動体通信網を介して、他のスマートフォン１等との間で、音声通話やメッセージの送受信を行う。また、無線通信部１２は、移動体通信網や無線アクセスポイントを介して、インターネット上のサーバとデータ通信を行う。例えば、無線通信部１２は、商品販売サイトのサーバから商品一覧画面等を受信して、フラッシュメモリ１１に記憶するようにしてもよい。
【００３７】
通信コントローラ１３は、無線通信部１２を制御し、所定のプロトコルに沿って、処理制御部１０と他のスマートフォン１やサーバ等との間で行われる無線通信の仲立ちをする。
【００３８】
サウンドアンプ１４は、処理制御部１０にて生成された音声信号を増幅し、スピーカ１５に供給する。
【００３９】
スピーカ１５は、例えば、ステレオスピーカ等からなり、サウンドアンプ１４にて増幅された音声信号に従って、通話時の音声や楽曲音等を出力する。
【００４０】
操作ボタン１６は、スマートフォン１に適宜配置された複数のキースイッチ等からなり、ユーザの操作に従って、所定の指示入力を受け付ける。
【００４１】
表示デバイス１７は、ＬＣＤ等からなり、ＬＣＤコントローラ１０ｆに制御され、例えば、商品一覧画面等を表示する。
【００４２】
タッチスクリーン１８は、表示デバイス１７の前面に重畳して配置され、ユーザの指等による各種操作を検出する。
例えば、タッチスクリーン１８は、静電容量方式（投影型静電容量方式）のタッチセンサパネル等からなり、ユーザの指等によるタッチ操作を検知し、そのタッチ操作がなされた座標に応じた情報（タッチ操作の検出位置等）を出力する。また、タッチスクリーン１８には、静電容量を検知するセンサが組み込まれており、タッチ操作を開始してから行われる強押しなども検出し、その操作がなされた座標に応じた情報（強押しの検出位置等）を出力する。
なお、タッチスクリーン１８は、他に抵抗膜方式による抵抗値の変化等から、ユーザの指等によるタッチ操作等を検出してもよい。
【００４３】
測位ユニット１９は、例えば、複数のＧＰＳ（Global Positioning System）衛星から送られる信号を受信し、所定のタイミング毎に、スマートフォン１の現在位置を測位する。
なお、このようなＧＰＳ衛星を用いる代わりに、測位ユニット１９は、複数の基地局からの電波強度（受信強度等）を用いて、スマートフォン１の現在位置を測位してもよい。
【００４４】
（選択装置の概要構成）
図３は、本実施形態に係る選択装置１００の概要構成を示す模式図である。以下、本図を参照して説明する。
選択装置１００は、表示制御部１１０と、領域記憶部１２０と、検出部１３０と、制御部１４０と、分割部１５０と、確定部１６０と、選択取消部１７０とを備える。
【００４５】
表示制御部１１０は、表示部に種々の画像を表示する。
例えば、表示制御部１１０は、タッチスクリーン１８が重畳されている表示デバイス１７に、選択対象となる複数のオブジェクトを表示する。具体的には、図４に示すような選択ボタンＳＢ（ＳＢ１〜ＳＢ４）を含んだ商品一覧画面を表示デバイス１７に表示する。
なお、上述した画像処理部１０ｂ等が、このような表示制御部１１０として機能しうる。
【００４６】
図３に戻って、領域記憶部１２０は、タッチスクリーン１８の検出領域における有効領域（範囲情報）を記憶する。この有効領域は、例えば、表示デバイス１７に表示された複数のオブジェクトへのタッチ操作が、有効かどうかを判定するための領域である。
具体的に、領域記憶部１２０には、図５に示すように、タッチスクリーン１８の検出領域における有効領域ＤＡ（ＤＡ１〜ＤＡ４）を示す範囲情報が記憶される。この有効領域ＤＡは、図４の選択ボタンＳＢに対応している。つまり、ユーザがタッチスクリーン１８を介して、何れかの選択ボタンＳＢをタッチ操作すると、その検出位置が有効領域ＤＡ（対応する有効領域ＤＡ）内であると判別され、その選択ボタンＳＢが選択される。なお、後述するように、この有効領域ＤＡは、適宜更新される。
なお、上述したフラッシュメモリ１１等が、このような領域記憶部１２０として機能しうる。
【００４７】
図３に戻って、検出部１３０は、タッチスクリーン１８に対するタッチ操作を検出する。つまり、検出部１３０は、タッチスクリーン１８に対するタッチ操作の開始、タッチ操作の継続、及び、タッチ操作を開始してから行われる所定操作（一例として、強押し等）を検出する。
例えば、検出部１３０は、図６に示すように、ユーザの指Ｆ等による、タッチスクリーン１８へのタッチ操作を検出し、そのタッチ操作の検出位置を取得する。また、検出部１３０は、タッチ操作を開始してから行われる強押しも検出し、その強押しの検出位置を取得する。
なお、上述したタッチスクリーンコントローラ１０ｇ等が、このような検出部１３０として機能しうる。
【００４８】
図３に戻って、制御部１４０は、選択装置１００全体を制御する。
例えば、制御部１４０は、表示制御部１１０を制御して、上述した図４に示すような商品一覧画面等を生成させる。
また、制御部１４０は、検出部１３０が検出したタッチ操作の検出位置と、領域記憶部１２０に記憶される有効領域（範囲情報）とを適宜比較し、タッチ操作等の有効性を判別する。
なお、上述したＣＰＵコア１０ａ等が、このような制御部１４０として機能しうる。
【００４９】
分割部１５０は、タッチスクリーン１８の検出領域を適宜分割する。すなわち、分割部１５０は、現在表示されているオブジェクトの位置と検出部１３０がタッチ操作を検出した検出位置とに基づいて、タッチスクリーン１８全体の検出領域を複数の区画に分割する。
例えば、図４に示すような商品一覧画面が表示デバイス１７に表示されている状態で、選択ボタンＳＢ（ＳＢ１〜ＳＢ４）が表示されていない位置におけるタッチ操作が検出部１３０によって検出されると、分割部１５０は、その検出位置を基準として、タッチスクリーン１８全体の検出領域を、複数の選択ボタンＳＢと同数となる複数の区画に分割し、複数の選択ボタンＳＢのそれぞれを、複数の区画のそれぞれに重複なく対応付ける。
つまり、図７に示すように、選択ボタンＳＢに対応する有効領域ＤＡ（ＤＡ１〜ＤＡ４）の範囲外となる位置Ｐ１がタッチ操作されると、分割部１５０は、タッチスクリーン１８の検出領域を、位置Ｐ１を中心とした放射状の境界ＢＬによって区分けされた４つの区画に分割する。その際、分割部１５０は、各区画に、有効領域ＤＡがそれぞれ１つずつ含まれるように分割する。
そして、分割部１５０は、図８に示すように、分割した各区画が、それぞれ有効領域ＤＡ（ＤＡ１〜ＤＡ４）となるように、領域記憶部１２０を更新する。
なお、上述したＣＰＵコア１０ａ等が、このような分割部１５０として機能しうる。
【００５０】
このように、タッチスクリーン１８の検出領域が分割されると、上述した表示制御部１１０は、検出部１３０がタッチ操作の継続を検出している間、最新の検出位置を含む区画に対応付けられた選択ボタンＳＢを強調表示する。
例えば、最新の検出位置が図９に示すような位置Ｐ２であれば、表示制御部１１０は、選択ボタンＳＢ２を強調表示する。
【００５１】
図３に戻って、確定部１６０は、分割部１５０により分割された何れかの区画を選択する操作を検出すると、選択された区画に対応したオブジェクトの選択を確定する。一例として、検出部１３０が強押しを検出すると、確定部１６０は、その検出位置を含む区画に対応付けられた選択ボタンＳＢの選択を確定する。
例えば、図９に示すような位置Ｐ２で、強押しが検出されると、確定部１６０は、選択ボタンＳＢ２の選択を確定する。
なお、上述したＣＰＵコア１０ａ等が、このような確定部１６０として機能しうる。
【００５２】
選択取消部１７０は、分割部１５０により分割された何れかの区画が選択されることなく、検出部１３０がタッチ操作の終了を検出すると、何れのオブジェクトも選択しない。一例として、強押しが検出されることなく、検出部１３０によって、タッチ操作の終了が検出されると、選択取消部１７０は、選択ボタンＳＢの何れも選択しない。
その場合、上述した表示制御部１１０は、図９に示すような選択ボタンＳＢ２の強調表示をやめて、図４に示すような商品一覧画面に戻す。
また、上述した制御部１４０は、図８に示すようなタッチスクリーン１８の検出領域の分割をやめて、図５に示すような有効領域ＤＡに戻すように、領域記憶部１２０を更新する。
なお、上述したＣＰＵコア１０ａ等が、このような選択取消部１７０として機能しうる。
【００５３】
（選択装置の動作の概要）
以下、このような構成の選択装置１００の動作について図面を参照して説明する。一例として、上述した図４の商品一覧画面が表示デバイス１７に表示されている状態における選択装置１００の動作について、図１０を参照して説明する。
図１０は、選択装置１００にて実行される選択処理の流れを示すフローチャートである。
【００５４】
まず、選択装置１００は、タッチスクリーン１８へのタッチ操作が開始されたか否かを判別する（ステップＳ２０１）。
すなわち、制御部１４０は、検出部１３０により、タッチスクリーン１８に対するタッチ操作の開始が検出されたかどうかを判別する。
選択装置１００は、タッチスクリーン１８へのタッチ操作が開始されていないと判別すると（ステップＳ２０１；Ｎｏ）、そのまま、タッチ操作の開始を待機する。
【００５５】
一方、タッチスクリーン１８へのタッチ操作が開始されたと判別した場合（ステップＳ２０１；Ｙｅｓ）に、選択装置１００は、検出位置が有効領域内であるか否かを判別する（ステップＳ２０２）。
すなわち、制御部１４０は、検出部１３０により検出された検出位置が、上述した図５の有効領域ＤＡ（ＤＡ１〜ＤＡ４）の範囲内であるかどうかを判別する。
【００５６】
選択装置１００は、検出位置が有効領域内であると判別すると（ステップＳ２０２；Ｙｅｓ）、後述するステップＳ２０７に処理を進める。
つまり、後述するように、範囲内であると判別された有効領域ＤＡに対応する選択ボタンＳＢの選択が確定される。
【００５７】
一方、検出位置が有効領域内でない（有効領域外である）と判別した場合（ステップＳ２０２；Ｎｏ）に、選択装置１００は、検出領域を分割する（ステップＳ２０３）。
すなわち、分割部１５０は、現在表示されているオブジェクトの位置とその検出位置とに基づいて、タッチスクリーン１８の検出領域を複数の区画に分割する。一例として、分割部１５０は、その検出位置を基準として、タッチスクリーン１８の検出領域を、複数の選択ボタンＳＢと同数となる複数の区画に分割し、複数の選択ボタンＳＢのそれぞれを、複数の区画のそれぞれに重複なく対応付ける。
例えば、図７に示すように、選択ボタンＳＢに対応する有効領域ＤＡ（ＤＡ１〜ＤＡ４）の範囲外となる位置Ｐ１がタッチ操作されると、分割部１５０は、タッチスクリーン１８の検出領域を、位置Ｐ１を中心とした放射状の境界ＢＬによって区分けされた４つの区画に分割する。その際、分割部１５０は、各区画に、有効領域ＤＡがそれぞれ１つずつ含まれるように分割する。
そして、分割部１５０は、図８に示すように、分割した各区画が、それぞれ有効領域ＤＡ（ＤＡ１〜ＤＡ４）となるように、領域記憶部１２０を更新する。
【００５８】
選択装置１００は、タッチ操作が継続しているか否かを判別する（ステップＳ２０４）。
すなわち、制御部１４０は、検出部１３０が、タッチ操作の継続を検出しているかどうかを判別する。
【００５９】
選択装置１００は、タッチ操作が継続していると判別すると（ステップＳ２０４；Ｙｅｓ）、検出位置に応じて選択ボタンを強調表示する（ステップＳ２０５）。
すなわち、表示制御部１１０は、検出部１３０がタッチ操作の継続を検出している間、最新の検出位置を含む区画に対応付けられた選択ボタンＳＢを強調表示する。
例えば、最新の検出位置が図９に示すような位置Ｐ２であれば、表示制御部１１０は、選択ボタンＳＢ２を強調表示する。
【００６０】
選択装置１００は、強押しが、なされたか否かを判別する（ステップＳ２０６）。
すなわち、制御部１４０は、検出部１３０により、強押しが検出されたかどうかを判別する。
選択装置１００は、強押しが、なされていないと判別すると（ステップＳ２０６；Ｎｏ）、上述したステップＳ２０４に処理を戻す。
【００６１】
一方、強押しが、なされたと判別した場合（ステップＳ２０６；Ｙｅｓ）に、選択装置１００は、その検出位置を含む区画に対応付けられた選択ボタンＳＢの選択を確定する（ステップＳ２０７）。
例えば、図９に示すような位置Ｐ２で、強押しが検出されると、確定部１６０は、選択ボタンＳＢ２の選択を確定する。
なお、上述したステップＳ２０２にて、検出位置が有効領域内であると判別された場合（ステップＳ２０２；Ｙｅｓ）に、選択装置１００は、その有効領域ＤＡに対応する選択ボタンＳＢの選択を確定する。
【００６２】
また、上述したステップＳ２０４にて、タッチ操作が継続していないと判別された場合（ステップＳ２０４；Ｎｏ）に、選択装置１００は、選択ボタンの選択を行わない（ステップＳ２０８）。
すなわち、選択取消部１７０は、強押しが検出されることなく、検出部１３０によって、タッチ操作の終了が検出されると、選択ボタンＳＢの何れも選択しない。
なお、図１０の選択処理では、ステップＳ２０８の後に、選択処理を終了する場合について示しているが、ステップＳ２０１に処理を戻して、タッチ操作が開始されるのを待機してもよい。
その場合、ステップＳ２０１に処理を戻す前に、表示制御部１１０は、図９に示すような選択ボタンＳＢ２の強調表示をやめて、図４に示すような商品一覧画面を表示デバイス１７に表示すると共に、制御部１４０は、図８に示すようなタッチスクリーン１８の検出領域の分割をやめて、図５に示すような有効領域ＤＡに戻すように、領域記憶部１２０を更新する。
【００６３】
このような選択処理によって、図４のような商品一覧画面にて、複数の選択ボタンＳＢ（ＳＢ１〜ＳＢ４）が表示されており、その中から任意の選択ボタンＳＢオブジェクトを選択する場面においても、ユーザが片手で容易に操作できる。
例えば、右手でスマートフォンを把持しつつ、右手の親指でタッチ操作を行うユーザが、右手の親指で届かない選択ボタンＳＢを選択したい場合、まず、ユーザは、選択ボタンＳＢの何れも表示されていない位置にタッチ操作する。
すると、選択装置１００は、図７のように、位置Ｐ１（タッチ操作を行った位置）を中心とした放射状の境界ＢＬによって区分けされた４つの区画に分割する。つまり、各区画に、有効領域ＤＡがそれぞれ１つずつ含まれるように分割される。
また、選択装置１００は、図８に示すように、分割した各区画が、それぞれ有効領域ＤＡ（ＤＡ１〜ＤＡ４）となるように、領域記憶部１２０を更新する。
【００６４】
このようにして分割された複数の区画の何れかに、ユーザがタッチ位置を移動させると、選択装置１００は、図９に示すように、位置Ｐ２（現在のタッチ位置）を含む区画に対応付けられた選択ボタンＳＢ２を強調表示する。なお、各区画は、位置Ｐ１を中心として放射状に分割されているため、タッチ位置をほんの少し移動させただけで、別の区画に入ることになる。そのため、何れの選択ボタンＳＢに対しても、容易に強調表示させることができる。
そして、選択ボタンＳＢを強調表示させた状態で、ユーザがタッチスクリーン１８を強押しすると、その選択ボタンＳＢの選択が確定する。
このため、複数の選択ボタンＳＢが表示されており、その中から任意の選択ボタンＳＢオブジェクトを選択する場面においても、ユーザが片手で容易に操作できる。
【００６５】
この結果、オブジェクトの選択をユーザが容易に行うことができる。
【００６６】
（他の実施形態）
上記の実施形態では、タッチスクリーン１８の検出領域が分割されている状態で、表示制御部１１０が、図９に示すように、最新の検出位置を含む区画に対応付けられた選択ボタンＳＢを強調表示する場合について説明したが、選択ボタンＳＢだけでなく、最新の検出位置を含む区画についても強調表示してもよい。
例えば、表示制御部１１０は、図１１に示すように、最新の検出位置が位置Ｐ２であれば、選択ボタンＳＢ２だけでなく、位置Ｐ２を含む区画についても強調表示する。
【００６７】
この場合、区画についても強調表示されることで、別の選択ボタンＳＢを選び直す際に、タッチ操作のまま指をどの程度移動させれば良いか、より分かり易くなる。
【００６８】
上記の実施形態では、分割部１５０が、図７に示すような、位置Ｐ１を中心とした放射状の境界ＢＬによって、複数の区画に分割する場合について説明したが、一例であり、他の手法で分割してもよい。
例えば、分割部１５０は、図１２に示すような、位置Ｐ１（タッチ位置）を中心とした曲線放射状の境界ＢＣによって、複数の区画に分割してもよい。
この場合、分割部１５０は、曲線放射状の境界ＢＣによって、位置Ｐ１から所定距離における幅が略等しく区分けされた複数の区画に分割する。つまり、直線で分割すると、各区画において、位置Ｐ１から所定距離の幅が均等にできない場合でも、曲線放射状に分割することで、位置Ｐ１から所定距離の幅を均等にすることができる。
【００６９】
上記の実施形態では、図４に示すように、商品一覧画面において、選択ボタンＳＢ（ＳＢ１〜ＳＢ４）が全て表示されている場合について説明したが、画面がスクロール可能である場合に、一部の選択ボタンＳＢが現在の画面に表示されない事態も起こり得る。そのような場合に、表示されていない選択ボタンＳＢ（つまり、表示されていないオブジェクト）についても選択できるようにしてもよい。
例えば、図１３に示すように、商品一覧画面のうちの一部だけが表示される場合には、全体表示を案内するガイド画面ＧＤを表示する。そして、例えば、ガイド画面ＧＤにおける区画ＧＤＡ１が選択されると、対応する区画ＤＡ１に対応した選択ボタンＳＢ（表示されていない選択ボタンＳＢ１）が選択されるようにしてもよい。
つまり、表示されていない選択ボタンＳＢ１（オブジェクト）についても、間接的に選択可能となる。
この場合も、オブジェクトの選択をユーザが容易に行うことができる。
【産業上の利用可能性】
【００７０】
以上説明したように、本発明によれば、オブジェクトの選択をユーザが容易に行うことのできる選択装置、選択方法、プログラム、ならびに、非一時的なコンピュータ読取可能な情報記録媒体を提供することができる。
【符号の説明】
【００７１】
１      スマートフォン
１０    処理制御部
１１    フラッシュメモリ
１２    無線通信部
１３    通信コントローラ
１４    サウンドアンプ
１５    スピーカ
１６    操作ボタン
１７    表示デバイス
１８    タッチスクリーン
１９    測位ユニット
１００  選択装置
１１０  表示制御部
１２０  領域記憶部
１３０  検出部
１４０  制御部
１５０  分割部
１６０  確定部
１７０  選択取消部
【図１】
2019155563.tif 000003
【図２】
2019155563.tif 000004
【図３】
2019155563.tif 000005
【図４】
2019155563.tif 000006
【図５】
2019155563.tif 000007
【図６】
2019155563.tif 000008
【図７】
2019155563.tif 000009
【図８】
2019155563.tif 000010
【図９】
2019155563.tif 000011
【図１０】
2019155563.tif 000012
【図１１】
2019155563.tif 000013
【図１２】
2019155563.tif 000014
【図１３】
2019155563.tif 000015
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
選択対象となるオブジェクトをタッチスクリーンに表示し、当該タッチスクリーンに対する操作に応じてオブジェクトを選択する選択装置であって、
前記タッチスクリーンに対するタッチ操作を検出する検出部と、
現在表示されている前記オブジェクトの位置と前記検出部がタッチ操作を検出した検出位置とに基づいて、前記タッチスクリーン全体の検出領域を、当該検出位置を中心とした放射状の境界によって現在表示されている前記オブジェクトが区分けされた複数の区画に分割する分割部と、
前記分割部により分割された何れかの区画を選択する操作を検出すると、選択された区画に対応した前記オブジェクトの選択を確定する確定部と、
前記分割部により前記タッチスクリーン全体の検出領域が複数の区画に分割されても、区画に対応したオブジェクトの表示位置を変更しない表示制御を行う表示制御部と、
を備えることを特徴とする選択装置。
【請求項２】
前記検出部は、前記タッチスクリーンに対するタッチ操作の開始、タッチ操作の継続、及び、タッチ操作を開始してから行われる所定操作を検出し、
前記確定部は、前記検出部が前記所定操作を検出することにより、前記分割部により分割された何れかの区画が選択されると、当該選択された区画に対応した前記オブジェクトの選択を確定する、
ことを特徴とする請求項１に記載の選択装置。
【請求項３】
前記表示制御部は、前記検出部がタッチ操作の継続を検出している間、最新の検出位置を含む区画に対応付けられた前記オブジェクトを強調表示する、
ことを特徴とする請求項２に記載の選択装置。
【請求項４】
前記分割部は、現在表示されている前記オブジェクトの位置と前記検出部がタッチ操作を検出した検出位置とに基づいて、前記タッチスクリーン全体の検出領域を、前記検出位置を中心とした曲線放射状の境界によって現在表示されている前記オブジェクトが区分けされた前記複数の区画に分割する、
ことを特徴とする請求項１に記載の選択装置。
【請求項５】
前記分割部により分割された何れかの区画が選択されることなく、前記検出部がタッチ操作の終了を検出すると、何れのオブジェクトも選択しない選択取消部を更に備える、
ことを特徴とする請求項１に記載の選択装置。
【請求項６】
前記表示制御部は、前記検出部がタッチ操作の継続を検出している間、最新の検出位置を含む区画を示す領域も含めて強調表示する、
ことを特徴とする請求項３に記載の選択装置。
【請求項７】
表示されていない前記オブジェクトについても、間接的に選択可能である、
ことを特徴とする請求項１に記載の選択装置。
【請求項８】
選択対象となるオブジェクトをタッチスクリーンに表示し、当該タッチスクリーンに対する操作に応じてオブジェクトを選択する選択装置における選択方法であって、
前記選択装置が、前記タッチスクリーンに対するタッチ操作を検出する検出ステップと、
前記選択装置が、現在表示されている前記オブジェクトの位置と前記検出ステップにてタッチ操作を検出した検出位置とに基づいて、前記タッチスクリーン全体の検出領域を、当該検出位置を中心とした放射状の境界によって現在表示されている前記オブジェクトが区分けされた複数の区画に分割する分割ステップと、
前記選択装置が、前記分割ステップにて分割された何れかの区画を選択する操作を検出すると、選択された区画に対応した前記オブジェクトの選択を確定する確定ステップと、
前記選択装置が、前記分割ステップにて前記タッチスクリーン全体の検出領域が複数の区画に分割されても、区画に対応したオブジェクトの表示位置を変更しない表示制御を行う表示制御ステップと、
を備えることを特徴とする選択方法。
【請求項９】
選択対象となるオブジェクトをタッチスクリーンに表示し、当該タッチスクリーンに対する操作に応じてオブジェクトを選択するコンピュータを、
前記タッチスクリーンに対するタッチ操作を検出する検出部、
現在表示されている前記オブジェクトの位置と前記検出部がタッチ操作を検出した検出位置とに基づいて、前記タッチスクリーン全体の検出領域を、当該検出位置を中心とした放射状の境界によって現在表示されている前記オブジェクトが区分けされた複数の区画に分割する分割部、
前記分割部により分割された何れかの区画を選択する操作を検出すると、選択された区画に対応した前記オブジェクトの選択を確定する確定部、
前記分割部により前記タッチスクリーン全体の検出領域が複数の区画に分割されても、区画に対応したオブジェクトの表示位置を変更しない表示制御を行う表示制御部、
として機能させることを特徴とするプログラム。
【請求項１０】
選択対象となるオブジェクトをタッチスクリーンに表示し、当該タッチスクリーンに対する操作に応じてオブジェクトを選択するコンピュータを、
前記タッチスクリーンに対するタッチ操作を検出する検出部、
現在表示されている前記オブジェクトの位置と前記検出部がタッチ操作を検出した検出位置とに基づいて、前記タッチスクリーン全体の検出領域を、当該検出位置を中心とした放射状の境界によって現在表示されている前記オブジェクトが区分けされた複数の区画に分割する分割部、
前記分割部により分割された何れかの区画を選択する操作を検出すると、選択された区画に対応した前記オブジェクトの選択を確定する確定部、
前記分割部により前記タッチスクリーン全体の検出領域が複数の区画に分割されても、区画に対応したオブジェクトの表示位置を変更しない表示制御を行う表示制御部、
として機能させることを特徴とするプログラムを記録した非一時的なコンピュータ読取可能な情報記録媒体。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
選択対象となるオブジェクトをタッチスクリーンに表示し、当該タッチスクリーンに対する操作に応じてオブジェクトを選択する選択装置であって、
前記タッチスクリーンに対するタッチ操作を検出する検出部と、
現在表示されている前記オブジェクトの位置と前記検出部がタッチ操作を検出した検出位置とに基づいて、前記タッチスクリーン全体の検出領域を、当該検出位置を中心とした放射状の境界によって現在表示されている前記オブジェクトが区分けされた複数の区画に分割する分割部と、
前記分割部により分割された何れかの区画を選択する操作を検出すると、選択された区画に対応した前記オブジェクトの選択を確定する確定部と、
前記分割部により前記タッチスクリーン全体の検出領域が複数の区画に分割されても、区画に対応したオブジェクトの表示位置を変更しない表示制御を行う表示制御部と、を備え、
前記検出部は、前記タッチスクリーンに対するタッチ操作の開始、タッチ操作の継続、及び、タッチ操作を開始してから行われる所定操作を検出し、
前記表示制御部は、前記所定操作が検出されるよりも前に検出された前記タッチ操作の継続に基づいて、最新の検出位置を含む区画に対応付けられた前記オブジェクトを強調表示し、
前記確定部は、前記検出部が前記所定操作を検出することにより、前記分割部により分割された何れかの区画が選択されると、当該選択された区画に対応した前記オブジェクトの選択を確定する、
ことを特徴とする選択装置。
【請求項２】
前記分割部は、現在表示されている前記オブジェクトの位置と前記検出部がタッチ操作を検出した検出位置とに基づいて、前記タッチスクリーン全体の検出領域を、前記検出位置を中心とした曲線放射状の境界によって現在表示されている前記オブジェクトが区分けされた前記複数の区画に分割する、
ことを特徴とする請求項１に記載の選択装置。
【請求項３】
前記分割部により分割された何れかの区画が選択されることなく、前記検出部がタッチ操作の終了を検出すると、何れのオブジェクトも選択しない選択取消部を更に備える、
ことを特徴とする請求項１に記載の選択装置。
【請求項４】
前記表示制御部は、前記検出部がタッチ操作の継続を検出している間、最新の検出位置を含む区画を示す領域も含めて強調表示する、
ことを特徴とする請求項１に記載の選択装置。
【請求項５】
表示されていない前記オブジェクトについても、間接的に選択可能である、
ことを特徴とする請求項１に記載の選択装置。
【請求項６】
選択対象となるオブジェクトをタッチスクリーンに表示し、当該タッチスクリーンに対する操作に応じてオブジェクトを選択する選択装置における選択方法であって、
前記選択装置が、前記タッチスクリーンに対するタッチ操作を検出する検出ステップと、
前記選択装置が、現在表示されている前記オブジェクトの位置と前記検出ステップにてタッチ操作を検出した検出位置とに基づいて、前記タッチスクリーン全体の検出領域を、当該検出位置を中心とした放射状の境界によって現在表示されている前記オブジェクトが区分けされた複数の区画に分割する分割ステップと、
前記選択装置が、前記分割ステップにて分割された何れかの区画を選択する操作を検出すると、選択された区画に対応した前記オブジェクトの選択を確定する確定ステップと、
前記選択装置が、前記分割ステップにて前記タッチスクリーン全体の検出領域が複数の区画に分割されても、区画に対応したオブジェクトの表示位置を変更しない表示制御を行う表示制御ステップと、を備え、
前記検出ステップは、前記タッチスクリーンに対するタッチ操作の開始、タッチ操作の継続、及び、タッチ操作を開始してから行われる所定操作を検出し、
前記表示制御ステップは、前記所定操作が検出されるよりも前に検出された前記タッチ操作の継続に基づいて、最新の検出位置を含む区画に対応付けられた前記オブジェクトを強調表示し、
前記確定ステップは、前記検出部が前記所定操作を検出することにより、前記分割部により分割された何れかの区画が選択されると、当該選択された区画に対応した前記オブジェクトの選択を確定する、
ことを特徴とする選択方法。
【請求項７】
選択対象となるオブジェクトをタッチスクリーンに表示し、当該タッチスクリーンに対する操作に応じてオブジェクトを選択するコンピュータを、
前記タッチスクリーンに対するタッチ操作を検出する検出部、
現在表示されている前記オブジェクトの位置と前記検出部がタッチ操作を検出した検出位置とに基づいて、前記タッチスクリーン全体の検出領域を、当該検出位置を中心とした放射状の境界によって現在表示されている前記オブジェクトが区分けされた複数の区画に分割する分割部、
前記分割部により分割された何れかの区画を選択する操作を検出すると、選択された区画に対応した前記オブジェクトの選択を確定する確定部、
前記分割部により前記タッチスクリーン全体の検出領域が複数の区画に分割されても、区画に対応したオブジェクトの表示位置を変更しない表示制御を行う表示制御部、として機能させ、
前記検出部は、前記タッチスクリーンに対するタッチ操作の開始、タッチ操作の継続、及び、タッチ操作を開始してから行われる所定操作を検出し、
前記表示制御部は、前記所定操作が検出されるよりも前に検出された前記タッチ操作の継続に基づいて、最新の検出位置を含む区画に対応付けられた前記オブジェクトを強調表示し、
前記確定部は、前記検出部が前記所定操作を検出することにより、前記分割部により分割された何れかの区画が選択されると、当該選択された区画に対応した前記オブジェクトの選択を確定する、
ように機能させることを特徴とするプログラム。
【請求項８】
選択対象となるオブジェクトをタッチスクリーンに表示し、当該タッチスクリーンに対する操作に応じてオブジェクトを選択するコンピュータを、
前記タッチスクリーンに対するタッチ操作を検出する検出部、
現在表示されている前記オブジェクトの位置と前記検出部がタッチ操作を検出した検出位置とに基づいて、前記タッチスクリーン全体の検出領域を、当該検出位置を中心とした放射状の境界によって現在表示されている前記オブジェクトが区分けされた複数の区画に分割する分割部、
前記分割部により分割された何れかの区画を選択する操作を検出すると、選択された区画に対応した前記オブジェクトの選択を確定する確定部、
前記分割部により前記タッチスクリーン全体の検出領域が複数の区画に分割されても、区画に対応したオブジェクトの表示位置を変更しない表示制御を行う表示制御部、として機能させ、
前記検出部は、前記タッチスクリーンに対するタッチ操作の開始、タッチ操作の継続、及び、タッチ操作を開始してから行われる所定操作を検出し、
前記表示制御部は、前記所定操作が検出されるよりも前に検出された前記タッチ操作の継続に基づいて、最新の検出位置を含む区画に対応付けられた前記オブジェクトを強調表示し、
前記確定部は、前記検出部が前記所定操作を検出することにより、前記分割部により分割された何れかの区画が選択されると、当該選択された区画に対応した前記オブジェクトの選択を確定する、
ように機能させることを特徴とするプログラムを記録した非一時的なコンピュータ読取可能な情報記録媒体。
【国際調査報告】
2019155563.tif 000016
2019155563.tif 000017
2019155563.tif 000018
2019155563.tif 000019